(57)【要約】基地局と移動局のレイヤ２処理部間でのデータの欠落及び再送要求のための再送要求フレームの欠落を抑制することにより、レイヤ２処理部間で再送に要する遅延時間を低減し、これによって上位のＴＣＰでのタイムアウトの発生を抑制してスループットの低減を抑えることができる移動体通信システム。本システムでは、基地局１０４のレイヤ２処理１１２で、移動局１０５へ向かう下り無線回線におけるデータの優先度を設定し、レイヤ１送信部１１３で、その優先度に応じてデータの変調処理又は送信電力制御を行う。移動局１０５のレイヤ２処理部１２１で、基地局１０４へ送信する再送要求フレーム（ＡＣＫ／ＮＡＣＫフレーム）に優先度を設定し、この優先度に応じてＡＣＫ／ＮＡＣＫフレームの変調処理又は送信電力制御を行う。
2002056631.tif 000002
【特許請求の範囲】
【請求項１】
無線インタフェースレイヤ１よりも上位の無線インタフェースレイヤからの優先度情報を利用して無線インタフェースレイヤ１処理を行う基地局装置。
【請求項２】
無線インタフェースレイヤ２よりも上位の無線インタフェースレイヤからの優先度情報を利用して無線インタフェースレイヤ２処理を行う基地局装置。
【請求項３】
移動局装置へ向かう下り無線回線におけるデータの優先度を設定する無線インタフェースレイヤ２処理手段と、
前記無線インタフェースレイヤ２処理手段によって設定された優先度に応じて前記データに対する無線インタフェースレイヤ１処理を行う無線インタフェースレイヤ１処理手段と、
を有する基地局装置。
【請求項４】
前記無線インタフェースレイヤ２処理手段は、データの再送回数を優先度として設定する請求の範囲第３項に記載の基地局装置。
【請求項５】
前記無線インタフェースレイヤ２処理手段は、
前記移動局装置から受信したデータの中に欠落データがあることを検出したときに前記移動局装置へ送信する再送要求信号に対して優先度を設定し、
前記無線インタフェースレイヤ１処理手段は、
前記無線インタフェースレイヤ２処理手段によって設定された優先度に応じて前記再送要求信号に対する無線インタフェースレイヤ１処理を行う、
請求の範囲第３項に記載の基地局装置。
【請求項６】
無線インタフェースレイヤ１よりも上位の無線インタフェースレイヤからの優先度情報を利用して無線インタフェースレイヤ１処理を行う移動局装置。
【請求項７】
無線インタフェースレイヤ２よりも上位の無線インタフェースレイヤからの優先度情報を利用して無線インタフェースレイヤ２処理を行う移動局装置。
【請求項８】
基地局装置へ向かう上り無線回線におけるデータの優先度を設定する無線インタフェースレイヤ２処理手段と、
前記無線インタフェースレイヤ２処理手段によって設定された優先度に応じて前記データに対する無線インタフェースレイヤ１処理を行う無線インタフェースレイヤ１処理手段と、
を有する移動局装置。
【請求項９】
前記無線インタフェースレイヤ２処理手段は、データの再送回数を優先度として設定する請求の範囲第８項に記載の移動局装置。
【請求項１０】
前記無線インタフェースレイヤ２処理手段は、
前記基地局装置から受信したデータの中に欠落データがあることを検出したときに前記基地局装置へ送信する再送要求信号に対して優先度を設定し、
前記無線インタフェースレイヤ１処理手段は、
前記無線インタフェースレイヤ２処理手段によって設定された優先度に応じて前記再送要求信号に対する無線インタフェースレイヤ１処理を行う、
請求の範囲第８項に記載の移動局装置。
【請求項１１】
基地局装置と移動局装置を有し、
前記基地局装置は、
前記移動局装置へ向かう下り無線回線におけるデータの優先度を設定する第１の無線インタフェースレイヤ２処理手段と、
前記第１の無線インタフェースレイヤ２処理手段によって設定された優先度に応じて前記下り無線回線におけるデータに対する無線インタフェースレイヤ１処理を行う第１の無線インタフェースレイヤ１処理手段と、を有し、
前記移動局装置は、
前記基地局装置へ向かう上り無線回線におけるデータの優先度を設定する第２の無線インタフェースレイヤ２処理手段と、
前記第２の無線インタフェースレイヤ２処理手段によって設定された優先度に応じて前記上り無線回線におけるデータに対する無線インタフェースレイヤ１処理を行う第２の無線インタフェースレイヤ１処理手段と、
を有する移動体通信システム。
【請求項１２】
前記第１の無線インタフェースレイヤ２処理手段及び前記第２の無線インタフェースレイヤ２処理手段の少なくともいずれか一方は、データの再送回数を優先度として設定する請求の範囲第１１項に記載の移動体通信システム。
【請求項１３】
前記第１の無線インタフェースレイヤ２処理手段及び前記第２の無線インタフェースレイヤ２処理手段のうち少なくともいずれか一方は、
対向する装置から受信したデータの中に欠落データがあることを検出したときに前記対向する装置へ送信する再送要求信号に対して優先度を設定し、
前記第１の無線インタフェースレイヤ１処理手段及び前記第２の無線インタフェースレイヤ１処理手段のうち前記第１及び第２の無線インタフェースレイヤ２処理手段の前記少なくともいずれか一方に対応する無線インタフェースレイヤ１処理手段は、
対応する無線インタフェースレイヤ２処理手段によって設定された優先度に応じて前記再送要求信号に対する無線インタフェースレイヤ１処理を行う、
請求の範囲第１１項に記載の移動体通信システム。
【請求項１４】
基地局装置及び移動局装置のうち少なくともいずれか一方における無線通信方法であって、
対向する装置へ向かう無線回線におけるデータの優先度を設定する無線インタフェースレイヤ２処理ステップと、
前記無線インタフェースレイヤ２処理ステップで設定した優先度に応じて前記データに対する無線インタフェースレイヤ１処理を行う無線インタフェースレイヤ１処理ステップと、
を有する無線通信方法。
【請求項１５】
前記無線インタフェースレイヤ２処理ステップは、データの再送回数を優先度として設定する請求の範囲第１４項に記載の無線通信方法。
【請求項１６】
前記無線インタフェースレイヤ２処理ステップは、
対向する装置から受信したデータの中に欠落データがあることを検出したときに前記対向する装置へ送信する再送要求信号に対して優先度を設定し、
前記無線インタフェースレイヤ１処理ステップは、
前記無線インタフェースレイヤ２処理ステップで設定した優先度に応じて前記再送要求信号に対する無線インタフェースレイヤ１処理を行う、
請求の範囲第１４項に記載の無線通信方法。
【発明の詳細な説明】
技術分野
本発明は、例えば、通信プロトコルであるＴＣＰ（Ｔｒａｎｓｍｉｓｓｉｏｎ　Ｃｏｎｔｒｏｌ　Ｐｒｏｔｏｃｏｌ）と無線インタフェースレイヤ２の再送制御を併用して無線通信を行う移動体通信システム及び無線通信方法に関する。
背景技術
従来、この種の移動体通信システム及び無線通信方法としては、特開平１１−４２３６号公報に記載されているものがある。なお、本明細書において、無線インタフェースレイヤとは、無線通信システムを階層構造としてとらえたときの特定の階層のことであり（以下単に「レイヤ」ともいう）、レイヤ毎に定められたプロトコル処理を行う。
図１は、従来の移動体通信システムの構成を示すブロック図である。
この図１に示す移動体通信システムは、ＴＣＰプロトコル処理を行うＴＣＰ部１を備えるパーソナルコンピュータなどの端末機２と、この端末機２が接続された電話、専用回線又はインターネットであるネットワーク３と、ネットワーク３に接続された基地局４と、基地局４と無線通信を行う携帯電話機などの移動局５とを備えて構成されている。なお、端末機２は、インターネットプロトコル（ＩＰ）に従いパケットの送受信を行うＩＰ処理部６をも備えている。
基地局４は、ＩＰ処理部１１と、レイヤ２処理部１２と、レイヤ１送信部１３と、レイヤ１受信部１４と、共用器１５と、アンテナ１６とを備えて構成されている。
ＩＰ処理部１１は、インターネットプロトコル（ＩＰ）に従いパケットの送受信を行うものである。レイヤ２処理部１２は、無線区間におけるデータの誤りをＡＲＱ（Ａｕｔｏｍａｔｉｃ　Ｒｅｔｒａｎｓｍｉｓｓｉｏｎ　Ｒｅｑｕｅｓｔ）による再送制御により訂正する処理を行うものである。レイヤ１送信部１３は、ＣＤＭＡ（Ｃｏｄｅ　Ｄｉｖｉｓｉｏｎ　Ｍｕｌｔｉｐｌｅ　Ａｃｃｅｓｓ）通信に必要な変調や拡散、送信電力制御などの送信処理を行うものである。レイヤ１受信部１４は、逆拡散や復調などの受信処理を行うものである。共用器１５は、アンテナ１６の送受信を制御するものである。
移動局５は、ＴＣＰ部２０と、レイヤ２処理部２１と、レイヤ１送信部２２と、レイヤ１受信部２３と、共用器２４と、アンテナ２５とを備えて構成されている。
ＴＣＰ部２０は、ＴＣＰプロトコル処理を行うものである。レイヤ２処理部２１は、無線区間におけるデータの誤りをＡＲＱによる再送制御により訂正する処理を行うものである。レイヤ１送信部２２は、ＣＤＭＡ通信に必要な変調や拡散、送信電力制御などの送信処理を行うものである。レイヤ１受信部２３は、逆拡散や復調などの受信処理を行うものである。共用器２４は、アンテナ２５の送受信を制御するものである。
また、第３世代移動通信では、レイヤ２処理部１２のプロトコルとして、３ＧＰＰ　ＴＳ　２５．３２２に規定されたＲＬＣ（Ｒａｄｉｏ　Ｌｉｎｋ　Ｃｏｎｔｒｏｌ）プロトコルが用いられる。
次いで、このようなＴＣＰとレイヤ２の再送制御を併用して通信を行う無線通信システムの動作を説明する。
まず、端末機２から移動局５に対してデータを送信する際の動作を説明する。
端末機２のデータは、まず、ＴＣＰ部１においてＴＣＰプロトコル処理が施され、これによってデータの欠落を検出するための連続番号が付与される。ＴＣＰ部１は、ＩＰ処理部６、ネットワーク３及び基地局４を介して移動局５の内部のＴＣＰ部２０と通信し、双方のＴＣＰ部１，２０の間で再送による誤りの訂正を行う。
次に、ＴＣＰ部１から出力されたデータは、基地局４のレイヤ２処理部１２において、基地局４と移動局５との間の無線区間における誤りを訂正するための再送プロトコルの処理が施され、これによってデータの欠落を検出するための連続番号が付与される。以下では、ＲＬＣプロトコルを用いることを前提として説明する。
レイヤ２処理部１２から出力されたデータは、レイヤ１送信部１３に送られ、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）による通信を行うために必要な変調や拡散、送信電力制御などの処理が行われる。その後、データは、共用器１５とアンテナ１６を介して、移動局５へ送信される。
この送信されたデータは、移動局５のアンテナ２５で受信され、共用器２４を介して、レイヤ１受信部２３に入力される。このレイヤ１受信部２３では、Ｗ−ＣＤＭＡの復調や逆拡散などの処理が行われる。
この処理後のデータは、レイヤ２処理部２１に入力され、誤り検出が行われる。即ち、レイヤ２処理部２１は、対向するレイヤ２処理部１２にてデータに付与した連続番号の抜けから無線区間でのデータの欠落を検出する処理を行う。これによって、欠落を検出した場合は、該当番号を再送要求フレーム（ＡＣＫ／ＮＡＣＫフレーム）に格納し、このＡＣＫ／ＮＡＣＫフレームを対向する基地局４のレイヤ２処理部１２へ送信する。但し、ＡＣＫは受信ＯＫ、ＮＡＣＫは受信ＮＧ（Ｎｏ　Ｇｏｏｄ）を示す。
基地局４のレイヤ２処理部１２は、そのＡＣＫ／ＮＡＣＫフレームを受信すると、該当番号のデータを再度、移動局５へ送信する。
双方のレイヤ２処理部１２，２１は、その動作を、データの欠落がなくなるまで繰り返すことにより、無線区間でのデータの欠落を訂正する。
移動局５のレイヤ２処理部２１で処理されたデータは、ＴＣＰ部２０へ送信される。ＴＣＰ部２０は、対向するＴＣＰ部１にてデータに付与された連続番号から受信データを識別し、受信済みのデータの連続番号をＡＣＫフレームに乗せて対向するＴＣＰ部１へ送信する。
対向する端末機２のＴＣＰ部１は、ＡＣＫフレームに格納されている連続番号から、送信したにもかかわらず移動局５で受信されていない番号のデータを識別し、該当番号を持つデータを再度、移動局５へ送信する。
双方のＴＣＰ部１，２０は、その動作を、データの欠落がなくなるまで繰り返すことにより、エンド・エンドでのデータ通信の信頼性を保証する。
移動局５から端末機２に対してデータを送信する場合も、同様の動作を行い、データ通信の信頼性を保証する。
しかしながら、このような従来の移動体通信システムにおいては、無線回線の品質が悪く、双方のレイヤ２処理部１２，２１の間で複数回、再送が繰り返されると、端末機２のＴＣＰ部１から送られたデータが、移動局５のＴＣＰ部２０に到着するまでの時間が増大し、この結果、該当データに関するＡＣＫが移動局５のＴＣＰ部２０から端末機２のＴＣＰ部１に到着するまでの時間が増大する。
即ち、図２のタイミング図に示すように、端末機２のＴＣＰ部１は、送達確認用のＡＣＫ待ちタイマを持ち、矢印３１で示すようにデータ送信時にタイマを起動し、当該データのＡＣＫ到着時にタイマを停止させる。
ＴＣＰ部１は、当該データのＡＣＫが到着せず、タイムアウトした場合、ネットワーク３内が混雑していると考え、送信ウインドウを小さくすることで、送信スループットを下げる。
例えば、図２に符号３２〜３４で示すように、端末機２のＴＣＰ部１からデータ１〜３が送信された後、符号３５，３６で示すように、そのデータ１が移動局５のレイヤ２処理部２１に届かず、符号３７〜３９で示すように、基地局４のレイヤ２処理部１２と移動局５のレイヤ２処理部２１との間で再送が繰り返された（図２では３回）とする。
この場合、ネットワーク３が混雑していないにもかかわらず、符号４０で示すＴＣＰ部２０へのデータ１の到着が遅れ、結果として、符号４１で示すようにＴＣＰ部１へのＡＣＫの到着が遅れ、ＴＣＰ部１ではタイムアウトが発生し、スループットが低減するという問題がある。
また、図３に符号５１で示すように、移動局５のレイヤ２処理部２１から送られたＡＣＫ／ＮＡＣＫフレームが欠落した場合、符号５２で示すように、再送回数は１回でも、双方のレイヤ２処理部１２，２１の間でのデータの転送時間が増加し、移動局５へのＴＣＰ部２０へのＡＣＫの到着が遅れ、このため、端末機２のＴＣＰ部１がタイムアウトを起こし、スループットが低減するという問題がある。
発明の開示
本発明の目的は、基地局と移動局のレイヤ２処理部間でのデータの欠落及び再送要求のための再送要求フレームの欠落を抑制することにより、レイヤ２処理部間で再送に要する遅延時間を低減し、これによって上位のＴＣＰでのタイムアウトの発生を抑制してスループットの低減を抑えることができる移動体通信システム及び無線通信方法を提供することである。
本発明の一形態によれば、基地局装置は、無線インタフェースレイヤ１よりも上位の無線インタフェースレイヤからの優先度情報を利用して無線インタフェースレイヤ１処理を行う。
本発明の他の形態によれば、基地局装置は、無線インタフェースレイヤ２よりも上位の無線インタフェースレイヤからの優先度情報を利用して無線インタフェースレイヤ２処理を行う。
本発明のさらに他の形態によれば、基地局装置は、移動局装置へ向かう下り無線回線におけるデータの優先度を設定する無線インタフェースレイヤ２処理手段と、前記無線インタフェースレイヤ２処理手段によって設定された優先度に応じて前記データに対する無線インタフェースレイヤ１処理を行う無線インタフェースレイヤ１処理手段とを有する。
本発明のさらに他の形態によれば、移動局装置は、無線インタフェースレイヤ１よりも上位の無線インタフェースレイヤからの優先度情報を利用して無線インタフェースレイヤ１処理を行う。
本発明のさらに他の形態によれば、移動局装置は、無線インタフェースレイヤ２よりも上位の無線インタフェースレイヤからの優先度情報を利用して無線インタフェースレイヤ２処理を行う。
本発明のさらに他の形態によれば、移動局装置は、基地局装置へ向かう上り無線回線におけるデータの優先度を設定する無線インタフェースレイヤ２処理手段と、前記無線インタフェースレイヤ２処理手段によって設定された優先度に応じて前記データに対する無線インタフェースレイヤ１処理を行う無線インタフェースレイヤ１処理手段とを有する。
本発明のさらに他の形態によれば、移動体通信システムは、基地局装置と移動局装置を有し、前記基地局装置は、前記移動局装置へ向かう下り無線回線におけるデータの優先度を設定する第１の無線インタフェースレイヤ２処理手段と、前記第１の無線インタフェースレイヤ２処理手段によって設定された優先度に応じて前記下り無線回線におけるデータに対する無線インタフェースレイヤ１処理を行う第１の無線インタフェースレイヤ１処理手段とを有し、前記移動局装置は、前記基地局装置へ向かう上り無線回線におけるデータの優先度を設定する第２の無線インタフェースレイヤ２処理手段と、前記第２の無線インタフェースレイヤ２処理手段によって設定された優先度に応じて前記上り無線回線におけるデータに対する無線インタフェースレイヤ１処理を行う第２の無線インタフェースレイヤ１処理手段とを有する。
本発明のさらに他の形態によれば、無線通信方法は、基地局装置及び移動局装置のうち少なくともいずれか一方における無線通信方法であって、対向する装置へ向かう無線回線におけるデータの優先度を設定する無線インタフェースレイヤ２処理ステップと、前記無線インタフェースレイヤ２処理ステップで設定した優先度に応じて前記データに対する無線インタフェースレイヤ１処理を行う無線インタフェースレイヤ１処理ステップとを有する。
発明を実施するための最良の形態
以下、本発明の実施の形態について、添付図面を参照して詳細に説明する。なお、上述したように、無線インタフェースレイヤとは、無線通信システムを階層構造としてとらえたときの特定の階層のことであり（本明細書中では単に「レイヤ」ともいう）、レイヤ毎に定められたプロトコル処理を行う。
図４は、本発明の一実施の形態に係る移動体通信システムの構成を示すブロック図である。
この図４に示す移動体通信システムは、ＴＣＰプロトコル処理を行うＴＣＰ部１０１を備えるパーソナルコンピュータなどの端末機１０２と、この端末機１０２が接続された電話、専用回線又はインターネットであるネットワーク１０３と、ネットワーク１０３に接続された基地局１０４と、基地局１０４と無線通信を行う携帯電話機などの移動局１０５とを備えて構成されている。なお、端末機１０２は、インターネットプロトコル（ＩＰ）に従いパケットの送受信を行うＩＰ処理部１０６をも備えている。
基地局１０４は、ＩＰ処理部１１１と、レイヤ２処理部１１２と、レイヤ１送信部１１３と、レイヤ１受信部１１４と、共用器１１５と、アンテナ１１６とを備えて構成されている。
ＩＰ処理部１１１は、インターネットプロトコル（ＩＰ）に従いパケットの送受信を行うものである。
レイヤ２処理部１１２は、無線区間におけるデータの誤りをＡＲＱによる再送制御により訂正する処理を行うと共に、レイヤ１送信部１１３にデータ１３１を出力する際に、該当データ１３１の再送回数を優先度情報１３２としてレイヤ１送信部１１３へ出力するものである。
レイヤ１送信部１１３は、優先度情報１３２に応じて、ＣＤＭＡ通信に必要な変調や拡散、送信電力制御などの送信処理を行うものである。レイヤ１受信部１１４は、逆拡散や復調などの受信処理を行うものである。共用器１１５は、アンテナ１１６の送受信を制御するものである。
移動局１０５は、ＴＣＰ部１２０と、レイヤ２処理部１２１と、レイヤ１送信部１２２と、レイヤ１受信部１２３と、共用器１２４と、アンテナ１２５とを備えて構成されている。
ＴＣＰ部１２０は、ＴＣＰプロトコル処理を行うものである。レイヤ２処理部１２１は、無線区間におけるデータの誤りをＡＲＱによる再送制御により訂正する処理を行うと共に、レイヤ１送信部１２２にデータ１３３を出力する際に、該当データ１３３の再送回数を優先度情報１３４としてレイヤ１送信部１２２へ出力するものである。
レイヤ１送信部１２２は、優先度情報１３４に応じて、ＣＤＭＡ通信に必要な変調や拡散、送信電力制御などの送信処理を行うものである。レイヤ１受信部１２３は、逆拡散や復調などの受信処理を行うものである。共用器１２４は、アンテナ１２５の送受信を制御するものである。
次いで、このようなＴＣＰとレイヤ２の再送制御を併用して通信を行う無線通信システムの動作を説明する。
まず、端末機１０２から移動局１０５に対してデータを送信する際の動作を説明する。
端末機１０２のデータは、まず、ＴＣＰ部１０１においてＴＣＰプロトコル処理が施され、これによってデータの欠落を検出するための連続番号が付与される。ＴＣＰ部１０１は、ＩＰ処理部１０６、ネットワーク１０３及び基地局１０４を介して移動局１０５の内部のＴＣＰ部１２０と通信し、双方のＴＣＰ部１０１，１２０の間で再送による誤りの訂正を行う。
次に、ＴＣＰ部１０１から出力されたデータは、基地局１０４のレイヤ２処理部１１２において、基地局１０４と移動局１０５との間の無線区間における誤りを訂正するための再送プロトコルの処理が施され、これによってデータの欠落を検出するための連続番号が付与される。以下では、ＲＬＣプロトコルを用いることを前提として説明する。
レイヤ２処理部１１２から出力されたデータは、レイヤ１送信部１１３に送られ、Ｗ−ＣＤＭＡによる通信を行うために必要な変調や拡散、送信電力制御などの処理が行われる。その後、データは、共用器１１５とアンテナ１１６を介して、移動局１０５へ送信される。
この送信されたデータは、移動局１０５のアンテナ１２５で受信され、共用器１２４を介して、レイヤ１受信部１２３に入力される。このレイヤ１受信部１２３では、Ｗ−ＣＤＭＡの復調や逆拡散などの処理が行われる。
この処理後のデータは、レイヤ２処理部１２１に入力され、誤り検出が行われる。即ち、レイヤ２処理部１２１は、対向するレイヤ２処理部１１２にてデータに付与した連続番号の抜けから無線区間でのデータの欠落を検出する処理を行う。これによって、欠落を検出した場合は、該当番号を再送要求フレーム（ＡＣＫ／ＮＡＣＫフレーム）に格納し、このＡＣＫ／ＮＡＣＫフレームを対向する基地局１０４のレイヤ２処理部１１２へ送信する。
基地局１０４のレイヤ２処理部１１２は、そのＡＣＫ／ＮＡＣＫフレームを受信すると、該当番号のデータ１３１を移動局１０５へ再送する。この再送時の動作を、以下、詳細に説明する。
レイヤ２処理部１１２は、レイヤ１送信部１１３にデータ１３１を渡す際に、該当データ１３１の再送回数を優先度情報１３２として渡す。レイヤ１送信部１１３は、優先度の高い、即ち再送回数の大きいデータに対して変調や送信電力を強めて送信する。ここで、変調を強めるとは、例えば、多値変調の場合、１６ＱＰＳＫ（Ｑｕａｄｒｉｐｈａｓｅ　Ｐｈａｓｅ　Ｓｈｉｆｔ　Ｋｅｙｉｎｇ）から８ＱＰＳＫとすることである。
この動作を図５に示すタイミング図を参照して説明する。
但し、図５に示すように、端末機１０２のＴＣＰ部１０１は、送達確認用のＡＣＫ待ちタイマを持ち、矢印２０１で示すようにデータ送信時にタイマを起動し、当該データのＡＣＫ到着時にタイマを停止させる。
この図５は、端末機１０２のＴＣＰ部１０１のＡＣＫ待ちタイマの動作時間を、５００ｍｓとした場合の例である。また、各レイヤ２処理部１１２，１２１は、再送回数が２回を超えるとデータを高優先度とし、この優先度情報１３２，１３４を対応するレイヤ１送信部１１３，１２２に渡すことによって、データ１３１，１３３の送信を依頼するものとする。
端末機１０２のＴＣＰ部１０１から出力された符号２０２で示すデータ１は、基地局１０４のレイヤ２処理部１１２にて再送処理が行われて送信されたが、符号２０３で示すように、無線回線上の誤りのために欠落したとする。
その後、端末機１０２のＴＣＰ部１０１からの符号２０４で示すデータ２が、基地局１０４から送信され、符号２０５で示すように、誤りなく移動局１０５のレイヤ２処理部１２１に到着したとする。
レイヤ２処理部１２１は、データ２に付与されている連続番号の抜けから、データ１が欠落していることを検出し、データ１の再送要求とデータ２の受信確認を、符号２０６で示すように、ＡＣＫ／ＮＡＣＫフレームに乗せて基地局１０４のレイヤ２処理部１１２に送信する。
この時、移動局１０５のレイヤ２処理部１２１は、ＡＣＫ／ＮＡＣＫフレームの優先度を高く設定して、レイヤ１送信部１２２に送信を依頼する。レイヤ１送信部１２２は、優先度の高いＡＣＫ／ＮＡＣＫフレームに対して送信電力を高くするなどして、ＡＣＫ／ＮＡＣＫフレームに無線回線上での誤りが生じない様に送信処理を行う。
この結果、符号２０６で示すＡＣＫ／ＮＡＣＫフレームは、１回の送信で、誤りなく基地局１０４に送信され、基地局１０４のレイヤ２処理部１１２に渡される。
このＡＣＫ／ＮＡＣＫフレームを受信したレイヤ２処理部１１２は、データ１が欠落していることを識別する。この識別に応じて再送する次の再送回数が２回となるため、データ１の優先度を高く設定して、レイヤ１送信部１１３に送信を依頼する。
但し、レイヤ２処理部１１２において再送回数と閾値の判定を行い、閾値を超える／超えないの１ビットの情報を、優先度情報に代えてレイヤ１送信部１１３に渡すようにしてもよい。
レイヤ１送信部１１３は、優先度の高いデータ１に対して送信電力を高くするなどして、データ１に無線回線上で誤りが生じないように移動局１０５への送信処理を行う。
この結果、符号２０７で示すように、データ１は、２回目の送信で誤りなく移動局１０５に送信され、符号２０８で示すように、レイヤ２処理部１２１からＴＣＰ部１２０に渡される。
これにより、移動局１０５のＴＣＰ部１２０は、符号２０９で示すように、データ１に対する受信確認ＡＣＫを直ちに端末機１０２へ送信する。このため、端末機１０２のＴＣＰ部１０１は、ＡＣＫ待ちタイマがタイムアウトする前にデータ１に対するＡＣＫを受信することができる。これによって、端末機１０２のＴＣＰ部１０１は、スループットが低減することなく通信を継続することができる。
このように、本実施の形態の移動体通信システムによれば、レイヤ２処理部からレイヤ１送信部にデータを渡す際に、該当データの再送回数を優先度情報として渡し、レイヤ１送信部では、再送回数の大きいデータに対して変調や送信電力を強めて送信するようにした。
これによって、基地局と移動局との間で再送されるデータの誤り（欠落）を低減することができるので、基地局と移動局のレイヤ２処理部間で再送に要する遅延時間を抑えることが可能となり、上位のＴＣＰでのタイムアウトの発生を抑制して、スループットの低減を抑えることができる。
また、レイヤ２処理部からレイヤ１送信部にデータを渡す際に、再送要求を示すＡＣＫ／ＮＡＣＫフレームを高い優先度として渡し、レイヤ１送信部では、ＡＣＫ／ＮＡＣＫフレームに対して変調や送信電力を強めて送信するようにした。
これによって、基地局と移動局との間でＡＣＫ／ＮＡＣＫフレームの誤りを低減することができるので、基地局と移動局のレイヤ２処理部間での再送要求のためのＡＣＫ／ＮＡＣＫフレームの損失（欠落）を抑えることが可能となり、対向するレイヤ２処理部では、速やかに欠落データの再送を行うことが可能となる。これによって、レイヤ２処理部間で再送に要する遅延時間を低減することができるため、上位のＴＣＰでのタイムアウトの発生を抑制して、スループットの低減を抑えることができる。
また、上記の例では、ＡＣＫ／ＮＡＣＫフレームの優先度を高くすることを説明したが、それ以外の制御フレーム（ウインドウ制御フレームなど）の優先度を高くすることも可能である。
なお、以上の説明では、基地局１０４から移動局１０５へデータを送信し、移動局１０５から基地局１０４へＡＣＫ／ＮＡＣＫフレームを送信して再送を行う場合について説明したが、逆方向の場合であっても同様に実現することができる。
また、以上の説明では、無線インタフェースレイヤ２処理部が基地局１０４に実装されている場合について説明したが、これに限定されるわけではなく、他の装置に実装されていても良い。また、以上の説明では、ＴＣＰ部が端末機１０２に実装されている場合について説明したが、これに限定されるわけではなく、端末機１０２以外の基地局などに実装されていても良い。
また、以上の説明では、無線インタフェースレイヤ２処理部からレイヤ１送信部に対して優先度を通知する場合について説明したが、無線インタフェースレイヤ２処理部よりも上位のレイヤの処理を行うＩＰ処理部やＴＣＰ部から無線インタフェースレイヤ２処理部に対して優先度を通知し、無線インタフェースレイヤ２処理部が優先度に応じて送信順序制御や再送制御を行うようにしても良い。
また、以上の説明では、無線インタフェースレイヤ２処理部からレイヤ１送信部に対して優先度を通知する場合について説明したが、無線インタフェースレイヤ２処理部よりも上位のレイヤの処理を行うＩＰ処理部やＴＣＰ部から無線インタフェースレイヤ１処理部に対して優先度を通知し、無線インタフェースレイヤ１処理部が優先度に応じて変調処理や送信電力制御を行うようにしても良い。
本明細書は、２００１年１月５日出願の特願２００１−０００４５９に基づく。この内容はすべてここに含めておく。
産業上の利用可能性
本発明は、移動体通信システム並びに当該移動体通信システムにおける基地局装置及び移動局装置に適用することができる。
【図面の簡単な説明】
図１は、従来の移動体通信システムの構成を示すブロック図、
図２は、従来の移動体通信システムの動作を説明するためのタイミング図、
図３は、従来の移動体通信システムの動作を説明するための他のタイミング図、
図４は、本発明の一実施の形態に係る移動体通信システムの構成を示すブロック図、
図５は、本実施の形態に係る移動体通信システムの動作を説明するためのタイミング図である。
【図１】
2002056631.tif 000003
【図２】
2002056631.tif 000004
【図３】
2002056631.tif 000005
【図４】
2002056631.tif 000006
【図５】
2002056631.tif 000007
【手続補正書】
【提出日】平成14年5月24日(2002.5.24)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
移動局装置へ向かう下り無線回線におけるデータの優先度を設定する無線インタフェースレイヤ２処理手段と、
前記無線インタフェースレイヤ２処理手段によって設定された優先度に応じて前記データに対する無線インタフェースレイヤ１処理を行う無線インタフェースレイヤ１処理手段と、
を有する基地局装置。
【請求項４】
前記無線インタフェースレイヤ２処理手段は、データの再送回数を優先度として設定する請求の範囲第３項に記載の基地局装置。
【請求項５】
前記無線インタフェースレイヤ２処理手段は、
前記移動局装置から受信したデータの中に欠落データがあることを検出したときに前記移動局装置へ送信する再送要求信号に対して優先度を設定し、
前記無線インタフェースレイヤ１処理手段は、
前記無線インタフェースレイヤ２処理手段によって設定された優先度に応じて前記再送要求信号に対する無線インタフェースレイヤ１処理を行う、
請求の範囲第３項に記載の基地局装置。
【請求項６】
削除
【請求項７】
削除
【請求項８】
基地局装置へ向かう上り無線回線におけるデータの優先度を設定する無線インタフェースレイヤ２処理手段と、
前記無線インタフェースレイヤ２処理手段によって設定された優先度に応じて前記データに対する無線インタフェースレイヤ１処理を行う無線インタフェースレイヤ１処理手段と、
を有する移動局装置。
【請求項９】
前記無線インタフェースレイヤ２処理手段は、データの再送回数を優先度として設定する請求の範囲第８項に記載の移動局装置。
【請求項１０】
前記無線インタフェースレイヤ２処理手段は、
前記基地局装置から受信したデータの中に欠落データがあることを検出したときに前記基地局装置へ送信する再送要求信号に対して優先度を設定し、
前記無線インタフェースレイヤ１処理手段は、
前記無線インタフェースレイヤ２処理手段によって設定された優先度に応じて前記再送要求信号に対する無線インタフェースレイヤ１処理を行う、
請求の範囲第８項に記載の移動局装置。
【請求項１１】
基地局装置と移動局装置を有し、
前記基地局装置は、
前記移動局装置へ向かう下り無線回線におけるデータの優先度を設定する第１の無線インタフェースレイヤ２処理手段と、
前記第１の無線インタフェースレイヤ２処理手段によって設定された優先度に応じて前記下り無線回線におけるデータに対する無線インタフェースレイヤ１処理を行う第１の無線インタフェースレイヤ１処理手段と、を有し、
前記移動局装置は、
前記基地局装置へ向かう上り無線回線におけるデータの優先度を設定する第２の無線インタフェースレイヤ２処理手段と、
前記第２の無線インタフェースレイヤ２処理手段によって設定された優先度に応じて前記上り無線回線におけるデータに対する無線インタフェースレイヤ１処理を行う第２の無線インタフェースレイヤ１処理手段と、
を有する移動体通信システム。
【請求項１２】
前記第１の無線インタフェースレイヤ２処理手段及び前記第２の無線インタフェースレイヤ２処理手段の少なくともいずれか一方は、データの再送回数を優先度として設定する請求の範囲第１１項に記載の移動体通信システム。
【請求項１３】
前記第１の無線インタフェースレイヤ２処理手段及び前記第２の無線インタフェースレイヤ２処理手段のうち少なくともいずれか一方は、
対向する装置から受信したデータの中に欠落データがあることを検出したときに前記対向する装置へ送信する再送要求信号に対して優先度を設定し、
前記第１の無線インタフェースレイヤ１処理手段及び前記第２の無線インタフェースレイヤ１処理手段のうち前記第１及び第２の無線インタフェースレイヤ２処理手段の前記少なくともいずれか一方に対応する無線インタフェースレイヤ１処理手段は、
対応する無線インタフェースレイヤ２処理手段によって設定された優先度に応じて前記再送要求信号に対する無線インタフェースレイヤ１処理を行う、
請求の範囲第１１項に記載の移動体通信システム。
【請求項１４】
基地局装置及び移動局装置のうち少なくともいずれか一方における無線通信方法であって、
対向する装置へ向かう無線回線におけるデータの優先度を設定する無線インタフェースレイヤ２処理ステップと、
前記無線インタフェースレイヤ２処理ステップで設定した優先度に応じて前記データに対する無線インタフェースレイヤ１処理を行う無線インタフェースレイヤ１処理ステップと、
を有する無線通信方法。
【請求項１５】
前記無線インタフェースレイヤ２処理ステップは、データの再送回数を優先度として設定する請求の範囲第１４項に記載の無線通信方法。
【請求項１６】
前記無線インタフェースレイヤ２処理ステップは、
対向する装置から受信したデータの中に欠落データがあることを検出したときに前記対向する装置へ送信する再送要求信号に対して優先度を設定し、
前記無線インタフェースレイヤ１処理ステップは、
前記無線インタフェースレイヤ２処理ステップで設定した優先度に応じて前記再送要求信号に対する無線インタフェースレイヤ１処理を行う、
請求の範囲第１４項に記載の無線通信方法。
【国際調査報告】
2002056631.tif 000008
2002056631.tif 000009
2002056631.tif 000010